(57)【要約】【課題】体勢の著しい変化を伴わず、且つ大きな力を要することなく足元などの下方の引出に収納された被収納物を上昇させ、自然な体勢で使用者が被収納物を容易に取り出せることで、体への負荷の低減および利便性の向上が可能な収納庫を提供する。【解決手段】本発明にかかる収納庫の代表的な構成は、被収納物を収納可能な引出１３４をスライド自在に収容可能な収納庫（ベースキャビネット１３０）であって、引出は、内部に被収納物を載置可能な載置部材１５０を更に有し、当該収納庫に収容された引出が収納庫から引き出される動作に連動して載置部材を上昇させ、また、引出が収納庫に押し込まれる動作に連動して載置部材を下降させる昇降機構（支持部材１６０、ガイドレール１９４、１９６）を備えることを特徴とする。【選択図】図２
2010183981.tif 000002
【特許請求の範囲】
【請求項１】
被収納物を収納可能な引出をスライド自在に収容可能な収納庫であって、
前記引出は、内部に被収納物を載置可能な載置部材を更に有し、
当該収納庫に収容された前記引出が該収納庫から引き出される動作に連動して前記載置部材を上昇させ、また、該引出が該収納庫に押し込まれる動作に連動して該載置部材を下降させる昇降機構を備えることを特徴とする収納庫。
【請求項２】
前記昇降機構は、前記引出を引き出すまたは押し込む力である水平方向の力を、前記載置部材を上昇または下降させる力である上下方向の力に変換することを特徴とする請求項１に記載の収納庫。
【請求項３】
前記引出は、前記載置部材を支持する支持部材を更に備え、
前記載置部材は前記支持部材に着脱可能であり、
前記昇降機構は、前記支持部材を上下方向に移動させることで前記載置部材を上昇または下降させることを特徴とする請求項１に記載の収納庫。
【請求項４】
前記載置部材は、前記引出の前板の背面に隣接する位置に設けられることを特徴とする請求項１に記載の収納庫。
【発明の詳細な説明】
【技術分野】
【０００１】
本発明は、被収納物を収納する引出を有する収納庫に関する。
【背景技術】
【０００２】
キッチンで使用される調理器具には、ボールやざる、長手の形状を有する杓子類（レードル）、長箸、ラップ、調味料などの小物類、包丁など、様々なものがある。これらの調理器具等の被収納物を収納するために、従来から、キッチンの上に吊戸棚を設けたり、キッチンの下に開き戸や引出を有する収納庫を設けたりしていた。
【０００３】
上記の中でも、引出を有する収納庫は、引出に被収納物を上方から容易に収納でき、複数の引出を水平および垂直方向に並行して設けることで高い空間効率を得ることができる。これにより、上記の調理器具以外にも、碗、皿、カップ等の食器類、鍋、フライパン等の大きめの調理器具、塩、胡椒等の調味料、食品、調味料等の瓶詰め又は缶詰容器など、大小様々な被収納物を上方から容易に収納することができる。
【０００４】
しかし、複数の引出を垂直方向に並列して設けた場合、足元の引出など、使用者の腰よりも低い位置に設けられた（以下、下方と称する。）引出に収納した被収納物を取り出すためには、使用者は、腰を曲げ、屈んだ姿勢を取らなければならない。キッチンにおいて時間に追われながら作業をしている使用者にとって、被収納物を取り出す度にこのような動作を行うことは煩わしく、作業効率の低下を招いてしまう。
【０００５】
また上記のような動作は腰への負荷が大きい。このため、使用者が、健康な人間の場合にはさほど負担にならないかもしれないが、身体能力が低下し、身体の自由がきかない高齢者等であった場合、かかる動作は大きな負担となってしまう。
【０００６】
したがって、上述した問題を解決するために、例えば特許文献１には、物を収納する収納室を形成する引出を備えたキャビネットであって、キャビネット本体及び引出に設けられ、引出をキャビネット本体外に完全に引き出した状態まで水平方向に摺動させる摺動機構と、引出に設けられ、摺動機構により完全に引き出した状態の引出を引出高さから使用高さまで上昇させその後引出高さまで下降させる昇降機構と、摺動機構及び昇降機構と協働するようにこれらの両機構に組み込まれ、引出が引出高さで水平方向に摺動しているときは昇降機構による引出の昇降を規制する昇降規制機構と、を有するキャビネットが開示されている。
【０００７】
特許文献１に記載のキャビネットによれば、昇降機構により引出を引出高さから使用高さまで上昇させることができるため、下方の引出に収納された被収納物を取り出す際に使用高さで作業を行うことが可能となる。したがって、使用者の体勢への負担を低減し、且つ使い勝手の向上を図ることができるとしている。また、昇降規制機構を備えることで、引出を引き出すときにかかる引出がキャビネット本体と衝突することを確実に防止することができるとしている。
【０００８】
また例えば特許文献２には、物を収納する収納室を形成する引出を備えたキャビネットであって、キャビネット本体及び引出に設けられ、引出をキャビネット本体外に完全に引き出した状態まで水平方向に摺動させる摺動機構と、引出に設けられ、摺動機構により完全に引き出した状態の引出を引出高さから使用高さまで上昇させその後引出高さまで下降させる昇降機構と、摺動機構及び昇降機構と協働するようにこれらの両機構に組み込まれ、引出が昇降しているときは引出の摺動機構による水平方向の摺動を規制する摺動規制機構と、を有するキャビネットが開示されている。
【０００９】
特許文献２に記載のキャビネットによれば、特許文献１に記載のキャビネットと同様に昇降機構を備えているため、使用者の体勢への負担を低減し、且つ使い勝手の向上を図ることができるとしている。また、摺動規制機構を備えることで、引出を昇降させるときにかかる引出がキャビネット本体と衝突することを確実に防止することができるとしている。
【００１０】
また例えば特許文献３には、キャビネット本体の下部に備わった引出に上下昇降自在な収納棚を設けたフロアーキャビネットが記載されている。特許文献３によれば、引出は下位にあっても収納棚を上昇させることにより、同収納棚に収納される物品を上位で楽に出し入れすることができるとしている。
【先行技術文献】
【特許文献】
【００１１】
【特許文献１】特開２００７−２１５６７８号公報
【特許文献２】特開２００７−２１５６７９号公報
【特許文献３】特開２００７−３３０５６４号公報
【発明の概要】
【発明が解決しようとする課題】
【００１２】
しかし、特許文献１および２に記載のキャビネットでは、昇降機構により引出を引出高さから使用高さまで上昇させるためには、かかる引出を、キャビネット本体外に完全に引き出した状態となるまで水平方向に摺動させ、キャビネット本体外に引き出した後、かかる引出ごと上部に持ち上げなくてはならない。引出の収納物が少ない場合なら、このような動作は容易に行えるかもしれないが、引出内に多くのまたは重い被収納物が収納されていた場合、引出ごと上方に持ち上げることは容易ではない。特に、上述したように使用者が高齢者等であった場合、引出ごと上方に持ち上げる動作は、屈む動作以上に負担が大きい。
【００１３】
また特許文献３に記載の構成によれば、引出の内部の収納棚だけを症状させることが可能である。しかし、引出を引き出した後に、収納棚の上縁に設けられた把手部を引き上げて、収納棚を上昇させる構成である。このため収納棚を引き上げるために、結局のところ屈まなくてはならない。また引っ張りバネによって補助されている構成ではあるが、多数の調理器具が収納された収納棚を使用者の力で引き上げなくてはならず、この設備が必要な人ほどこの設備を利用しにくいという状態になりかねない。
【００１４】
本発明は、このような課題に鑑み、体勢の著しい変化を伴わず、且つ大きな力を要することなく足元などの下方の引出に収納された被収納物を上昇させ、自然な体勢で使用者が被収納物を容易に取り出せることで、体への負荷の低減および利便性の向上が可能な収納庫を提供することを目的としている。
【課題を解決するための手段】
【００１５】
上記課題を解決するために、本発明にかかる収納庫の代表的な構成は、被収納物を収納可能な引出をスライド自在に収容可能な収納庫であって、引出は、内部に被収納物を載置可能な載置部材を更に有し、当該収納庫に収容された引出が収納庫から引き出される動作に連動して載置部材を上昇させ、また、引出が収納庫に押し込まれる動作に連動して載置部材を下降させる昇降機構を備えることを特徴とする。
【００１６】
上記構成によれば、昇降機構により、引出を収納庫から引き出すだけで載置部材が上昇する。これにより、引出内の載置部材に載置された被収納物が上昇するため、使用者が被収納物を腰を曲げずに取り出すことができる。したがって、体への負荷を低減し、且つ利便性を向上することが可能となる。また引出を押し込むと載置部材が降下するため、かかる引出の上部に他の引出が存在する場合であっても、他の引出への載置部材およびこれに載置された被収納物の衝突を回避することができる。
【００１７】
また上記の収納庫をキッチンに適用した場合においては、ワークトップ近傍に上段引出を設けることができないシンクやコンロの下方にある引出に、上記のような昇降機構を設けることが好ましい。これにより、被収納物を持ち上げてワークトップに近づけることができ、キッチンにおける作業が容易となる。
【００１８】
上記の昇降機構は、引出を引き出すまたは押し込む力である水平方向の力を、載置部材を上昇または下降させる力である上下方向の力に変換するとよい。
【００１９】
上記構成により、引出を引き出すまたは押し込む力である水平方向の力を利用して載置部材を上下方向に昇降させることが可能となる。
【００２０】
上記の引出は、載置部材を支持する支持部材を更に備え、載置部材は支持部材に着脱可能であり、昇降機構は、支持部材を上下方向に移動させることで載置部材を上昇または下降させるとよい。
【００２１】
上記構成では載置部材を支持部材に着脱可能である。これにより、載置部材を引出に着脱可能となる。したがって、使用者は引出内の載置部材の有無を必要に応じて適宜変更することができる。また載置部材を引出から取り外し、かかる載置部材の清掃を容易に行うことができるため、良好な衛生状態を維持することが可能となる。
【００２２】
上記の載置部材は、天面が開放された箱状のポケットであるとよい。かかる構成によれば、引出が収納庫から引き出されることによってポケットが上昇すると、引出内に収納された被収納物のうち、ポケットに収納された被収納物のみが上昇することとなる。したがって、昇降機構によって上昇させる被収納物の重量が低減されるため、引出を引き出すために要する力を低下させることができる。また、ポケットに被収納物を収納することができ、引出内の整理整頓が可能となる。
【００２３】
上記の載置部材は、引出の前板の背面に隣接する位置に設けられるとよい。かかる構成によれば、載置部材は引出の最も手前に設けられることとなる。したがって、使用頻度が高い被収納物を載置部材に収納しておけば、かかる被収納物を最も効率的に取り出すことが可能となり、利便性を向上することができる。
【００２４】
上記のポケットが２以上設けられるとよい。これにより、２以上（複数）のポケットに被収納物を収納することができ、引出内の整理整頓が可能となる。
【発明の効果】
【００２５】
本発明によれば、体勢の著しい変化を伴わず、且つ大きな力を要することなく足元などの下方の引出に収納された被収納物を上昇させ、自然な体勢で使用者が被収納物を容易に取り出せることで、体への負荷の低減および利便性の向上が可能な収納庫を提供することができる。
【図面の簡単な説明】
【００２６】
【図１】本実施形態にかかる収納庫を備えるシステムキッチンの全体構成を説明する図である。
【図２】本実施形態にかかる収納庫の詳細を示す図である。
【図３】載置部材を示す図である。
【図４】摺動部材を説明する図である。
【図５】柱部材を説明する図である。
【図６】摺動部材と柱部材の嵌合を説明する図である。
【図７】載置部材および支持部材の引出への装着状態を示す図である。
【図８】昇降機構の詳細を説明するための側面図である。
【発明を実施するための形態】
【００２７】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２８】
（全体構成）
図１は、本実施形態にかかる収納庫を備えるシステムキッチンの全体構成を説明する図である。システムキッチン１００（以下、キッチン１００と称する。）は、キッチンの全体の上面を覆う天板１１０（ワークトップとも称される。）を備える。本実施形態において、天板１１０はステンレス材を用いて形成されているが、これに限定するものではなく、合成樹脂素材を使用して形成されていてもよい。
【００２９】
天板１１０の上面には、組み込みで取り付けられたコンロ１１２、調理スペース１１４、一体に形成されたシンク１１６、が設けられる。天板１１０の下には、収納庫であるキャビネットが設けられており、かかるキャビネットは、コンロ１１２が設置されているコンロキャビネット１２０と、調理スペース１１４を備えるベースキャビネット１３０、シンク１１６が設置されているシンクキャビネット１４０で構成される。各キャビネット内の空きスペースには、コンロ１１２への配線や、シンク１１６および水栓への給排水管（図示せず）などが収容されている。
【００３０】
上記の各キャビネットは、被収納物を収納可能な様々な大きさの引出を有し、かかる引出をスライド自在に収容する。例えばコンロキャビネット１２０は、上部にコンロ１１２のグリル１１２ａおよび操作パネル１１２ｂを備え、その左脇には調味料などの小物を収納するための小さな引出であるスパイスボックス１２２が配置されている。コンロキャビネット１２０の中央部、すなわちグリル１１２ａの下には幅の広い大きな引出１２４を配置し、鍋やボウルなどの比較的大きな調理器具を収納可能になっている。またコンロキャビネット１２０の下部の床近傍には、引出式の足下収納庫１２６が配置されている。
【００３１】
ベースキャビネット１３０には、その上方から順に、高さが低い引出１３２、高さが高い引出１３４、および足下収納庫１３６が備え付けられている。また、シンクキャビネット１４０には、足下収納庫１４６から天板１１０に到る高い前板を備えた引出１４４および足下収納庫１４６が備えられている。
【００３２】
上述したように、天板１１０は、システムキッチン１００全体に亘って連続しているにも拘らず、天板１１０の下では、天板１１０の上のコンロ１１２やシンク１１６といった各構成に対応したキャビネットが複数設けられている。これによりシステムキッチン１００の構成を異ならせたときにも、キャビネット単位で引出や前板などの部品を準備すればよく、生産効率を向上させることができる。
【００３３】
（収納庫）
以下に本実施形態にかかる収納庫について詳述する。図２は、本実施形態にかかる収納庫の詳細を示す図である。なお、以下の説明では、収納庫としてベースキャビネット１３０を例示するが、これに限定するものではなく、コンロキャビネット１２０やシンクキャビネット１４０を本実施形態にかかる収納庫としてもよい。また理解を容易にするために、図２中、引出１３２および足下収納庫１３６の図示を省略する。
【００３４】
ベースキャビネット１３０の引出１３４は、載置部材１５０と、支持部材１６０とを有する。載置部材１５０は、その内部に被収納物を載置可能であり、且つ後述する支持部材１６０に着脱可能である。本実施形態において、載置部材１５０は、天面が開放された箱状のポケットである。
【００３５】
図３は、載置部材１５０を示す図である。図３（ａ）は載置部材１５０の正面斜視図であり、図３（ｂ）は載置部材１５０の側面図である。図３（ａ）に示すように、載置部材１５０はその内部の空間に被収納物を載置（収納）することができる。したがって、引出１３４がベースキャビネット１３０（収納庫）から引き出され、後述する昇降機構により載置部材１５０が上昇すると、引出１３４内に収納された被収納物のうち、載置部材１５０に載置された被収納物のみが上昇する。これにより、引出１３４全体を上昇させる場合と比較して、昇降機構を用いて上昇させる被収納物の重量が低減され、引出１３４を引き出す力を利用して被収納物を上昇させることができる。また載置部材１５０をポケットとすることで、引出１３４内の整理整頓を容易に行うことが可能となる。
【００３６】
図３（ｂ）に示すように、載置部材１５０は、その背面の上端から連続し、Ｌ字状に曲折したＬ字部１５２を有する。これにより、載置部材１５０を後述する支持部材１６０に掛着（装着）することが可能となる。したがって、載置部材１５０を支持部材１６０に着脱可能、すなわち引出１３４に着脱可能となり、使用者は引出１３４内の載置部材１５０の有無を必要に応じて適宜変更することができる。また載置部材１５０が着脱可能であることで、これを引出１３４内から取り外し、清掃を容易に行うことができる。このため、良好な衛生状態を維持することが可能となる。
【００３７】
本実施形態において、載置部材１５０（ポケット）は、引出１３４の前板１３４ａの背面に隣接する位置に設けられる。したがって、載置部材１５０は引出１３４の最前部に設けられることとなり、使用頻度が高い被収納物を載置部材１５０に収納しておけば、これを最も効率的に取り出すことが可能となる。これにより、利便性を向上することができる。
【００３８】
また本実施形態のように引出１３４内に２つの載置部材１５０を設けることにより、これらの両方に被収納物を載置（収納）することができる。したがって、後述する昇降機構により上昇または下降させることが可能な被収納物の数を増やすことができ、且つ引出１３４内の整理整頓がより促進される。なお、上記の載置部材１５０の数は一例であり、これに限定するものではない。かかる載置部材１５０の数は１つでもよいし、引出１３４の幅に応じて３つ以上とすることも可能である。
【００３９】
なお、本実施形態における載置部材１５０の形状および大きさは一例であり、これに限定するものではなく、載置部材１５０の幅を引出内の空間の幅と同一としてもよいし、載置部材１５０の形状をトレイ状とすることも可能である。例えば、載置部材１５０を引出１３４の底板と略同じ大きさのトレイ状とすれば、引出１３４に収容した全ての被収納物を上昇させることも可能となる。
【００４０】
支持部材１６０は、載置部材１５０を支持する部材である。したがって、後述する昇降機構を用いてかかる支持部材１６０を上昇または下降させることで、載置部材１５０を昇降させることが可能となる。かかる支持部材１６０は、梁１６２aおよび１６２ｂと、摺動部材１６４および１８４と、柱部材１６６および１８６と、アーム１６８および１８８と、上プーリ１７０および１９０と、下プーリ１７２および１９２とから構成される。引出１３４の前板１３４ａの表面を正面とすると、上記の摺動部材１６４、柱部材１６６、アーム１６８、上プーリ１７０および下プーリ１７２は、引出１３４の壁板１３０ａ側に設けられている。また、摺動部材１８４、柱部材１８６、アーム１８８、上プーリ１９０および下プーリ１９２は、引出１３４の壁板１３０ｂ側に設けられている。
【００４１】
梁１６２ａは載置部材１５０のＬ字部１５２が掛着（装着）される。これにより、支持部材１６０が載置部材１５０を支持することが可能となる。梁１６２ｂは、梁１６２ａの下方に位置し、梁１６２ａに掛着された載置部材１５０の回動を抑止する。これにより、載置部材１５０およびこれに収納された被収納物の安定性を向上することができる。また梁１６２ａおよび１６２ｂは、その一端が後述する摺動部材１６４に、他端が摺動部材１８４に接続されている。これにより、梁１６２ａに掛着された載置部材１５０が、摺動部材１６４および１８４と共に昇降することが可能となる。
【００４２】
摺動部材１６４および１８４は、支持部材１６０が接続されており、後述する昇降機構により上下に摺動（移動）する。これにより、支持部材１６０を介して載置部材１５０を上昇または下降させることが可能となる。
【００４３】
図４は、摺動部材１８４を説明する図であり、摺動部材１８４の後述する柱部材１８６と当接する面（載置部材１５０と当接しない面）を示している。図４に示すように、かかる面には凸部１８４ａおよび上下溝１８４ｂが設けられている。また図示は省略するが、摺動部材１６４の後述する柱部材１６６と当接する面（載置部材１５０と当接しない面）にも同様に凸部１６４ａおよび上下溝１６４ｂが設けられている。かかる凸部１６４ａおよび１８４ａは後述する凹部１６６ａおよび１８６ａと嵌合する。また上下溝１６４ｂおよび上下溝１８４ｂは、後述する上下レール１６６ｂおよび１８６ｂを挿通する。
【００４４】
柱部材１６６および１８６は、引出１３４の前板１３４ａの背面に固設されている。したがって、引出１３４の移動方向と柱部材１６６および１８６の移動方向は同じ水平方向となる。
【００４５】
図５は、柱部材１８６を説明する図であり、柱部材１８６の摺動部材１８４と当接する面を示している。図５に示すように、かかる面には凹部１８６ａ、およびＴ字状の上下レール１８６ｂが設けられている。また図示は省略するが、柱部材１６６の摺動部材１６４と当接する面にも同様に凹部１６６ａ、およびＴ字状の上下レール１６６ｂが設けられている。かかる凹部１６６ａおよび１８６ａは凸部１６４ａおよび１８４ａと嵌合する。また上下レール１６６ｂおよび１８６ｂは、摺動部材１６４および１８４を上下に案内する。
【００４６】
図６は、摺動部材１８４と柱部材１８６の嵌合を説明する図である。摺動部材１８４と柱部材１８６を嵌合させる場合、まず図６（ａ）に示すように、摺動部材１８４の凸部１８４ａを有する面と、柱部材１８６の凹部１８６ａを有する面とを対向させる。そして、摺動部材１８４を図６（ａ）に示す白抜き矢印の方向に移動させ、上下レール１８６ｂを上下溝１８４ｂに挿嵌すると、図６（ｂ）に示すように柱部材１８６に摺動部材１８４が装着される。これにより、摺動部材１８４は柱部材１８６上を図６（ｂ）に示す白抜き矢印方向に摺動することが可能となる。なお、他方側の摺動部材１６４と柱部材１６６の嵌合については、上記の説明と重複するため、その説明を省略する。
【００４７】
アーム１６８は摺動部材１６４に、アーム１８８は摺動部材１８４に連結されている。アーム１６８はその先端に上プーリ１７０を、上プーリ１７０よりも手前に下プーリ１７２を有し、アーム１８８も同様に上プーリ１９０および下プーリ１９２を有する。これにより、引出１３４の開閉動作に応じてアーム１６８および１８８が連動し、かかるアーム１６８および１８８に設けられた上プーリ１７０および１９０ならびに下プーリ１７２および１９２が後述するガイドレール１９４および１９６上に沿って移動することとなり、本実施形態にかかる昇降機構を実現可能となる。なお、昇降機構については後述する。
【００４８】
ベースキャビネット１３０は、上述した引出１３４の収容部となる壁板１３０ａの内側にガイドレール１９４を、壁板１３０ｂ（図２参照）の内側にガイドレール１９６を有する。かかるガイドレール１９４および１９６は、上プーリ１７０および１９０ならびに下プーリ１７２および１９２を案内する。これにより、これらのプーリがガイドレール１９４および１９６に沿って移動することが可能となる。
【００４９】
図７は、載置部材１５０および支持部材１６０の引出１３４への装着状態を示す図である。なお理解を容易にするために、図７中、ベースキャビネット１３０の壁板１３０ｂ（図２参照）、引出１３２および足下収納庫１３６の図示を省略する。
【００５０】
上記説明した載置部材１５０および支持部材１６０を引出１３４に装着する場合、まず上プーリ１７０および下プーリ１７２を有するアーム１６８を摺動部材１６４に連結し、上プーリ１９０および下プーリ１９２を有するアーム１８８を摺動部材１８４に連結する。次に、摺動部材１６４および１８４に梁１６２ａおよび１６２ｂを接続する。これにより、梁１６２ａおよび１６２ｂ、摺動部材１６４および１８４、アーム１６８および１８８は、図２に示す状態となる。
【００５１】
そして、図２に示す状態の摺動部材１６４および１８４を下方に移動させ、柱部材１６６および１８６に装着し、載置部材１５０を梁１６２ａに掛着する。次に、アーム１６８が有する上プーリ１７０および下プーリ１７２をガイドレール１９４上に、アーム１８８が有する上プーリ１９０および下プーリ１９２をガイドレール１９６上に配置する。これにより、ベースキャビネット１３０は図７に示す状態となり、本実施形態にかかる昇降機構が動作可能となる。
【００５２】
（昇降機構）
以下、本実施形態にかかる昇降機構について説明する。本実施形態にかかる昇降機構は、支持部材１６０、ガイドレール１９４および１９６を用いて構成される。そして、昇降機構が支持部材１６０を上下方向に移動させることで、引出１３４に設けられた載置部材１５０を昇降し、載置部材１５０に載置された被収納物を上昇または下降させることが可能となる。
【００５３】
図８は昇降機構の詳細を説明するための側面図である。なお、図８は側面図であるため、前板１３４ａの表面を正面とした場合の引出１３４の壁板１３０ａ側に設けられた支持部材１６０の各部材は図示されていない。しかし、これらの部材は、引出１３４の壁板１３０ｂ側に設けられた支持部材１６０の各部材と同一の機能および動作を示すため、特に記載がない限り、その符号を括弧内に付記することを以ってその説明とする。
【００５４】
図８（ａ）は引出１３４がベースキャビネット１３０（図１参照）内に収容されている状態である。この状態から、引出１３４がベースキャビネット１３０から矢印の方向に引き出されると、引出１３４の前板１３４ａに固設された柱部材１８６（１６６）も引出１３４と同じ方向に移動する。柱部材１８６（１６６）の上下レール１８６ｂ（１６６ｂ）には摺動部材１８４（１６４）の上下溝１８４ｂ（１６４ｂ）が嵌合されているため（図６（ｂ）参照）、柱部材１８６（１６６）の移動により摺動部材１８４（１６４）も柱部材１８６（１６６）と同じ方向、すなわち引出１３４と同じ方向に移動する。したがって、摺動部材１８４（１６４）に連結されているアーム１８８（１６８）も引出１３４と同じ方向に移動することとなる。
【００５５】
上記のアーム１８８（１６８）の移動により、アーム１８８（１６８）に設けられた上プーリ１９０（１７０）および下プーリ１９２（１７２）がガイドレール１９６（１９４）に沿って、引出１３４と同じ方向に移動する。そして、上プーリ１９０（１７０）ならびに下プーリ１９２（１７２）（以下、これらをプーリと総称する。）は、ガイドレール１９６（１９４）の点Ａを通過すると、ガイドレール１９６（１９４）の傾斜に沿って上方に移動する。これにより、アーム１８８（１６８）が上昇し、アーム１８８（１６８）に連結された摺動部材１８４（１６４）の凸部１８４ａ（１６４ａ）が柱部材１８６（１６６）の凹部１８６ａ（１６６ａ）内を上昇しながら移動する（図６（ｂ）参照）。したがって、摺動部材１８４（１６４）に接続される梁１６２ａ（図７参照）に掛着された載置部材１５０も上昇し、引出１３４は図８（ｂ）に示す状態となる。
【００５６】
図８（ｂ）に示す状態から引出１３４を矢印の方向に更に引き出すと、プーリは、ガイドレール１９６（１９４）に沿って更に上昇する。これにより、アーム１８８（１６８）、これに連結された摺動部材１８４（１６４）、梁１６２ａ（図７参照）を介して摺動部材１８４（１６４）に連結された載置部材１５０が更に上昇する。そして、プーリがガイドレール１９６（１９４）の点Ｂに到達すると、載置部材１５０は最上部まで上昇し、引出１３４は図８（ｃ）に示す状態となる。
【００５７】
なお、図示はしないが、図８（ｃ）の状態から引出１３４を矢印の方向に更に引き出すと、かかる引出１３４をベースキャビネット１３０内から完全に引き出すことができる。このとき、プーリが沿うガイドレール１９６（１９４）は直線上であるため、アーム１８８（１６８）は上昇しない。したがって、載置部材１５０は図８（ｃ）と同じ高さで水平方向にのみ移動する。
【００５８】
次に、上述した動作により引き出した引出１３４をベースキャビネット１３０内に再度収容する場合について説明する。かかる引出１３４を図８（ｃ）に示す矢印と反対の方向に押し込むことでプーリが点Ｂに到達すると、プーリはガイドレール１９６（１９４）の傾斜に沿って移動する。これにより、アーム１８８（１６８）が下降し、かかるアーム１８８（１６８）に連結された摺動部材１８４（１６４）の凸部１８４ａ（１６４ａ）が柱部材１８６（１６６）の凹部１８６ａ（１６６ａ）内を下降しながら移動する。したがって、梁１６２ａを介して摺動部材１８４（１６４）に連結された載置部材１５０も下降し、引出１３４は図８（ｂ）に示す状態となる。
【００５９】
そして、引出１３４を図８（ｂ）に示す状態から更に押し込むと、プーリはガイドレール１９６（１９４）に沿って更に移動する。これにより、アーム１８８（１６８）および摺動部材１８４（１６４）が更に下降し、載置部材１５０は図８（ａ）に示す状態となる。
【００６０】
上記説明したように、本実施形態では、引出１３４の前板１３４ａに柱部材１８６（１６６）が連結されていることで、引出１３４を引き出すまたは押し込む力、すなわち水平方向の力により、柱部材１８６（１６６）が同じ方向に移動する。そして、柱部材１８６（１６６）が移動すると、それに連結されたアーム１８８（１６８）も同じ方向に移動し、アーム１８８（１６８）に設けられたプーリがガイドレール１９６（１９４）に沿って移動する。このとき、ガイドレール１９６（１９４）が傾斜を有するため、アーム１８８（１６８）は水平方向だけでなく上下方向にも移動することとなる。これにより、引出１３４を引き出すまたは押し込む力（水平方向の力）が、載置部材１５０を上昇または下降させる力（上下方向の力）に変換され、水平方向の力を利用して載置部材１５０を上下方向に昇降させることが可能となる。したがって、当該収納庫（ベースキャビネット１３０）に収容された引出１３４が収納庫から引き出される動作に連動して載置部材１５０を上昇させ、また、引出１３４が収納庫に押し込まれる動作に連動して載置部材１５０を下降させる昇降機構が実現される。
【００６１】
上記の昇降機構により、引出１３４を収納庫から引き出すだけで載置部材１５０が上昇する、すなわち引出１３４内の載置部材１５０に載置された被収納物が上昇する。これにより、使用者が被収納物を腰を曲げずに取り出すことができ、体への負荷を低減し、且つ利便性を向上することが可能となる。また引出を押し込むと載置部材１５０が降下することで、かかる引出１３４の上部に他の引出（本実施形態においては引出１３２）が存在する場合であっても、他の引出への載置部材およびこれに載置された被収納物の衝突を回避することができる。
【００６２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６３】
例えば、さらに上記の昇降機構に加えて、引出の前板の前面を少しだけ奥に押すだけで自動的に引出を引き出す、いわゆるプッシュオープン式の押出機構を備えても良い。プッシュオープン式の押出機構としては、ばねとラッチを利用した機械式の装置や、モータを利用した電動式の装置を用いられる。このような押出機構と昇降機構を併せて備えることにより、キッチンの使用者はほとんど屈むことなく引出内部の被収納物を取り出すことが可能となり、使用者の体勢への負担をさらに軽減することができる。
【００６４】
また、本実施形態においては、ベースキャビネット１３０の引出１３４にのみ昇降機構を設けているがこれに限定するものではない。かかる昇降機構を、コンロキャビネット１２０やシンクキャビネット１４０の引出に設けてもよいし、ベースキャビネット１３０の他の引出に設けてもよい。
【００６５】
特に、コンロキャビネット１２０やシンクキャビネット１４０の下方においては、ワークトップ近傍に上段引出を設けることができず、一番上の引出がベースキャビネット１３０の中段引出と同じ高さとなる。ここで、シンクやコンロの下方かつ一番上にある引出に上記のような昇降機構を設けることにより、被収納物を持ち上げてワークトップに近づけることができ、キッチンにおける作業が容易となる。
【産業上の利用可能性】
【００６６】
本発明は、被収納物を収納する引出を有する収納庫として利用することができる。
【符号の説明】
【００６７】
１１０  …天板
１１２  …コンロ
１１２ａ  …グリル
１１２ｂ  …操作パネル
１１４  …調理スペース
１１６  …シンク
１２０  …コンロキャビネット
１２２  …スパイスボックス
１２４  …引出
１２６  …足下収納庫
１３０  …ベースキャビネット
１３０ａ  …壁板
１３０ｂ  …壁板
１３２  …引出
１３４  …引出
１３４ａ  …前板
１３４ｂ  …横板
１３４ｃ  …横板
１３６  …足下収納庫
１４０  …シンクキャビネット
１４４  …引出
１４６  …足下収納庫
１５０  …載置部材
１５２  …Ｌ字部
１６０  …支持部材
１６２ａ  …梁
１６２ｂ  …梁
１６４  …摺動部材
１６４ａ  …凸部
１６４ｂ  …上下溝
１６６  …柱部材
１６６ａ  …凹部
１６６ｂ  …上下レール
１６８  …アーム
１７０  …上プーリ
１７２  …下プーリ
１８４  …摺動部材
１８４ａ  …凸部
１８４ｂ  …上下溝
１８６  …柱部材
１８６ａ  …凹部
１８６ｂ  …上下レール
１８８  …アーム
１９０  …上プーリ
１９２  …下プーリ
１９４、１９６  …ガイドレール
【図１】
2010183981.tif 000003
【図２】
2010183981.tif 000004
【図３】
2010183981.tif 000005
【図４】
2010183981.tif 000006
【図５】
2010183981.tif 000007
【図６】
2010183981.tif 000008
【図７】
2010183981.tif 000009
【図８】
2010183981.tif 000010